【手続補正書】
【提出日】平成20年4月17日(2008.4.17)
【手続補正１】
【補正対象書類名】特許請求の範囲
【補正対象項目名】全文
【補正方法】変更
【補正の内容】
【特許請求の範囲】
【請求項１】
送信対象であるデータから、Ｎ個のデータサブストリームをそれぞれ有したＭ個のグループを生成するように配置され、ＮとＭは１より大きな整数であるデマルチプレクサ（２６）と、
各々が、Ｎ個の直交符号系列を用いてＭ個のグループのそれぞれ１つに属するＮ個のデータサブストリームを拡散するように配置されるＭ個の直交符号拡散器（２８）と、
各々が、Ｍ個のグループのそれぞれ１つに属するＮ個の直交拡散データサブストリームを合成するように配置され、Ｍ本の送信アンテナのそれぞれ１つを介して送信される合成信号を生成する、Ｍ個の信号合成器（３０）と、
を備える無線通信システム用送信装置であって、
前記Ｍ個のグループのそれぞれについて用いられる前記Ｎ個の直交符号系列は、ＮW個の直交符号系列のうちのＮ個の系列のＭ種類の異なる、部分的に一致する組み合わせのそれぞれ１つからなり、ＮW＞Ｎであり、前記Ｎ個の直交符号系列のうち少なくとも１つが前記Ｍ個のグループのうちの複数のグループに対して用いられることを特徴とする送信装置。
【請求項２】
前記直交符号系列は、長さＬのウォルシュ関数を備え、Ｌ＝２kで、ｋは１より大きい整数である、請求項１に記載の送信装置。
【請求項３】
ＮW＜Ｌである、請求項２に記載の送信装置。
【請求項４】
各信号合成器はまた、Ｎ個の直交拡散データサブストリームのそれぞれと、それぞれのグループに属するデータサブストリームに対して直交拡散されるパイロット信号であって互いのグループのパイロット信号に対して直交拡散されるパイロット信号と、を合成するように配置されることを特徴とする請求項１または３に記載の送信装置。
【請求項５】
前記送信対象となるデータは、符号化され且つ変調されたデータからなり、
前記送信装置は、データ源から符号化データを生成するエンコーダと、該符号化データを変調して前記送信対象となるデータを生成するように配置される変調器と、を含み、前記エンコーダの符号化率と、前記変調器によって生成される１変調シンボルあたりのビット数と、整数ＭとＮは、前記送信装置の所望のデータ伝送速度が得られるように選択される、請求項１〜４のいずれか１つに記載の送信装置。
【請求項６】
前記Ｍ個のグループの各々について、ＰＮ符号に応じてそれぞれの合成信号を拡散するように配置される符号拡散器と、それぞれの送信アンテナを介して送信するためにＰＮ符号拡散信号をそれぞれ増幅するように配置される線形電力増幅器と、を含む、請求項１〜５のいずれか１つに記載の送信装置。
【請求項７】
それぞれにおいて合成信号が送信されるＭ本の送信アンテナを有する、請求項１〜６のいずれか１つに記載の送信装置と、前記送信アンテナから送信される信号を受信するＰ本の受信アンテナを有する受信装置とを備え、Ｐは１より大きな整数である無線通信システム。
【請求項８】
Ｍ＞Ｐである、請求項７に記載の無線通信システム。
【請求項９】
Ｍ＝４であり、Ｐ＝２である、請求項７に記載の無線通信システム。
【請求項１０】
無線通信システムにおいてＭ本の送信アンテナから送信される信号の直交性を向上させる方法であって、
Ｎ個の直交符号系列により直交化されるＮ個のデータサブストリームを合成することにより、各送信アンテナから送信対象となるデータを生成し、ＭとＮは１より大きな整数であるステップと、
Ｍ本の送信アンテナのそれぞれについて、Ｎ個の直交符号系列からなるＭ種類の異なる、部分的に一致する組み合わせのそれぞれ１つとして用いられるＮ個の直交符号系列をＮＷ個の直行符号系列から選択し、ＮW＞Ｎであり、前記Ｎ個の直交符号系列のうち少なくとも１つが前記Ｍ種類の異なる組み合わせのうちの複数の組み合わせに対して用いられるステップと、を含んだ方法。
【請求項１１】
前記直交符号系列は長さＬのウォルシュ関数を有し、Ｌ＝２kであって、ｋは１より大きな整数である、請求項１０に記載の方法。
【請求項１２】
ＮW＜Ｌである、請求項１１に記載の方法。
【請求項１３】
各送信アンテナから前記送信対象となる信号と、それぞれの送信アンテナにおけるデータサブストリームに対して、かつ、互いの送信アンテナにおけるパイロット信号に対して直交拡散されるパイロット信号と、を合成するステップをさらに含んだ、請求項１０または１２に記載の方法。
【請求項１４】
送信対象であるデータから、少なくとも２個のデータサブストリームをそれぞれ有した少なくとも２個のグループを生成するように配置されるデマルチプレクサ（２６）と、
各々が、複数の直交符号系列を用いて前記グループのそれぞれ１つに属する前記データサブストリームを拡散するように配置される少なくとも２個の直交符号拡散器（２８）と、
各々が、前記グループのそれぞれ１つに属する、直交拡散データサブストリームを合成するように配置され、複数の送信アンテナのそれぞれ１つを介して送信される合成信号を生成する、少なくとも２個の信号合成器（３０）と、
を備える無線通信システム用送信装置であって、
前記複数の直交符号系列のうちの同じ系列セットのＭ種類の異なる、部分的に一致する組み合わせが、前記グループのうちの少なくとも２個に対して用いられることを特徴とする送信装置。
【請求項１５】
前記グループの各々について、ＰＮ符号に応じてそれぞれの合成信号を拡散するように配置される符号拡散器と、それぞれの送信アンテナを介して送信するためにＰＮ符号拡散信号をそれぞれ増幅するように配置される線形電力増幅器と、を含む、請求項１４に記載の送信装置。
【請求項１６】
無線通信システムにおいて複数の送信アンテナから送信される信号の直交性を向上させる方法であって、
それぞれ複数の直交符号系列により直交化される複数のデータサブストリームを合成することにより、各送信アンテナから送信対象となる信号を生成するステップと、
前記複数の送信アンテナに対して用いられる直交符号系列として、複数の直交符号系列のうちの同じ系列セットの複数の異なる、部分的に一致する組み合わせを選択するステップと、を含んだ方法。
【請求項１７】
各送信アンテナから前記送信対象となる信号と、それぞれの送信アンテナにおけるデータサブストリームに対して、かつ、互いの送信アンテナにおけるパイロット信号に対して直交拡散されるパイロット信号と、を合成するステップをさらに含んだ、請求項１６に記載の方法。
【手続補正２】
【補正対象書類名】明細書
【補正対象項目名】００１０
【補正方法】変更
【補正の内容】
【００１０】
一つの態様によれば、本発明は、送信対象となるデータからそれぞれがＮ個のデータサブストリームからなるＭ個のグループを生成するように配置され、ＮとＭは１より大きな整数であるデマルチプレクサと、各々が、Ｎ個の直交符号系列を用いてＭ個のグループのそれぞれ１つに属するＮ個のデータサブストリームを拡散するように配置されるＭ個の直交符号拡散器と、各々が、Ｍ個のグループのそれぞれ１つに属するＮ個の直交拡散データサブストリームを合成するように配置され、Ｍ本の送信アンテナのそれぞれ１つを介して送信される合成信号を生成するＭ個の信号合成器と、を備える無線通信システム用送信装置であって、Ｍ個のグループのそれぞれについて用いられるＮ個の直交符号系列は、ＮW個の直交符号系列のうちのＮ個の系列のＭ種類の異なる、部分的に一致する組み合わせのそれぞれ１つからなり、ＮW＞Ｎであり、前記Ｎ個の直交符号系列のうち少なくとも１つが前記Ｍ個のグループのうちの複数のグループに対して用いられることを特徴とする送信装置を提供する。
【手続補正３】
【補正対象書類名】明細書
【補正対象項目名】００１４
【補正方法】変更
【補正の内容】
【００１４】
本発明はさらに、無線通信システムにおいてＭ本の送信アンテナから送信される信号の直交性を向上させる方法であって、Ｎ個の直交符号系列により直交化されるＮ個のデータサブストリームを合成することにより、各送信アンテナから送信対象となるデータを生成し、ＭとＮは１より大きな整数であるステップと、Ｍ本の送信アンテナのそれぞれについて用いられるＮ個の直交符号系列を、ＮW個の直行符号系列から、Ｎ個の系列のＭ種類の異なる、部分的に一致する組み合わせのそれぞれ１つとして選択し、ＮW＞Ｎであり、前記Ｎ個の直交符号系列のうち少なくとも１つが前記Ｍ種類の異なる組み合わせのうちの複数の組み合わせに対して用いられるステップとを含んだ方法を提供する。